(57)【要約】    【課題】  簡単な構造で強固に固定でき、而も取付け作業が容易なシャッタ用中柱を提供する。    【解決手段】  床１１にボックス１２を設け、中柱下端部に中柱固定具２５を取付け、該中柱固定具が前記ボックスに対して係合離脱可能なロック部材３２を有し、前記ボックスの上面に凹部が形成され、前記中柱固定具の底面に前記凹部と嵌合可能な凸部が形成された。    【選択図】          図１
2005273204.tif 000002
【特許請求の範囲】
【請求項１】
床にボックスを設け、中柱下端部に中柱固定具を取付け、該中柱固定具が前記ボックスに対して係合離脱可能なロック部材を有し、前記ボックスの上面に凹部が形成され、前記中柱固定具の底面に前記凹部と嵌合可能な凸部が形成されたことを特徴とするシャッタ用中柱。
【請求項２】
前記ボックスは前記ロック部材が係合可能な係止蓋を有し、該係止蓋は前記ボックス内部を開放する様に回転可能である請求項１のシャッタ用中柱。
【請求項３】
前記中柱固定具がレバー保持バネを具備し、前記ロック部材は円弧状の鉤部を有し、前記ロック部材は回転により、前記鉤部が突出して前記ボックスと係合離脱可能であり、前記ロック部材は円周面を有し、該円周面に少なくとも１つの窪みが形成され、前記レバー保持バネは前記窪みと係合可能である請求項１のシャッタ用中柱。
【請求項４】
前記中柱固定具は前記中柱との間にレバー収納空間を形成する固定具ケースを具備し、前記ロック部材は前記レバー収納空間に収納され前記固定具ケースに回転可能に設けられた請求項１のシャッタ用中柱。
【請求項５】
前記中柱固定具は、前記固定具ケースに前記ロック部材が設けられることでユニット化され、ユニットとして前記中柱に取付けられる請求項４のシャッタ用中柱。
【発明の詳細な説明】
【技術分野】
【０００１】
本発明は、建屋等の構築構造物の開口部に設けられるシャッタの中柱に関するものである。
【背景技術】
【０００２】
建屋開口部にシャッタが複数組連設される場合は、シャッタとシャッタとの間にはシャッタカーテンをガイドする為の中柱が設けられる。この中柱は、シャッタカーテンを収納するシャッタケースと床とに掛渡って設けられ、開口部を開放した状態で邪魔にならない様に、取外しが可能となっている。
【０００３】
通常、中柱は床に設けられた凹部に嵌脱可能となっており、中柱を取付ける場合、中柱の上端部を前記シャッタケースに差込み、その後下端部を前記凹部に落込んでいる。
【０００４】
シャッタが設けられる場所によっては、強風が直接シャッタに吹付け、風圧で中柱が撓む状態となる場合があり、撓みが大きくなると中柱の下端部が持上がり、前記凹部から外れる可能性が出てくる。従って、強風が吹付ける様な場所に設けられるシャッタでは耐風構造を有する中柱が設けられる。
【０００５】
耐風構造を具備するシャッタの中柱としては、従来特許文献１に示される様なものがある。図８、図９により略述する。
【０００６】
床に、ボックス１が埋設され、該ボックス１の上面はキャッチ２により開閉可能となっており、該キャッチ２にはスリット孔３が穿設され、前記ボックス１の上面にも受孔９が穿設されている。中柱４の下端部には上端部、下端部が水平方向に屈曲されたコの字状のガイド５が固着され、該ガイド５の中途部に水平方向に突出する張出し板６が固着されている。
【０００７】
前記ガイド５の上端部、下端部、及び前記張出し板６に案内され、上下方向に摺動可能な落し板７が設けられ、該落し板７は前記張出し板６に螺合する蝶ボルト８により任意な位置に固定できる様になっている。
【０００８】
前記中柱４を固定する場合は、前記落し板７を引上げ、前記蝶ボルト８により固定しておき、前記キャッチ２を垂直状態としておく。前記中柱４の上端部を図示しないシャッタケースに差込み、前記ガイド５の下端部を前記スリット孔３に差込む。前記蝶ボルト８を緩め、前記落し板７を前記ガイド５の下端部に貫通させた後、前記受孔９に落込み、前記蝶ボルト８を締めて前記落し板７を固定する。
【０００９】
而して、前記中柱４は上下方向は前記ガイド５の下端部が前記スリット孔３に嵌合することで拘束され、前記中柱４下端部の水平方向は前記落し板７が前記受孔９に嵌合することで、拘束される。
【００１０】
上記した従来のシャッタ用中柱では上下方向、水平方向が拘束でき、耐風機能は果せるが、前記キャッチ２を開閉可能とする、又前記落し板７を摺動自在に支持し該落し板７を固定できる構造とする等構造が複雑であり、更に中柱を固定する為には、前記ガイド５の下端部を前記スリット孔３に差込み、前記落し板７を前記受孔９に差込むという２動作となり、取付け作業に手間が掛っていた。
【００１１】
更に、前記シャッタ用中柱に、水平力が作用した場合、水平力を規制するものが、落し板７のみであるので、該落し板７を頑丈にしなければならないという課題もあった。
【００１２】
【特許文献１】実公昭５８−５１３５６号公報
【発明の開示】
【発明が解決しようとする課題】
【００１３】
本発明は斯かる実情に鑑み、簡単な構造で強固に固定でき、而も取付け作業が容易なシャッタ用中柱を提供するものである。
【課題を解決するための手段】
【００１４】
本発明は、床にボックスを設け、中柱下端部に中柱固定具を取付け、該中柱固定具が前記ボックスに対して係合離脱可能なロック部材を有し、前記ボックスの上面に凹部が形成され、前記中柱固定具の底面に前記凹部と嵌合可能な凸部が形成されたシャッタ用中柱に係るものである。
【００１５】
又、前記ボックスは前記ロック部材が係合可能な係止蓋を有し、該係止蓋は前記ボックス内部を開放する様に回転可能であるシャッタ用中柱に係り、又前記中柱固定具がレバー保持バネを具備し、前記ロック部材は円弧状の鉤部を有し、前記ロック部材は回転により、前記鉤部が突出して前記ボックスと係合離脱可能であり、前記ロック部材は円周面を有し、該円周面に少なくとも１つの窪みが形成され、前記レバー保持バネは前記窪みと係合可能であるシャッタ用中柱に係り、又前記中柱固定具は前記中柱との間にレバー収納空間を形成する固定具ケースを具備し、前記ロック部材は前記レバー収納空間に収納され前記固定具ケースに回転可能に設けられたシャッタ用中柱に係るものである。
【００１６】
更に又、前記中柱固定具は、前記固定具ケースに前記ロック部材が設けられることでユニット化され、ユニットとして前記中柱に取付けられるシャッタ用中柱に係るものである。
【発明の効果】
【００１７】
本発明によれば、床にボックスを設け、中柱下端部に中柱固定具を取付け、該中柱固定具が前記ボックスに対して係合離脱可能なロック部材を有し、前記ボックスの上面に凹部が形成され、前記中柱固定具の底面に前記凹部と嵌合可能な凸部が形成されたので、前記中柱とボックスとの位置合せが容易であると共に前記中柱に水平力が作用しても前記凸部と前記凹部との嵌合で中柱の下端が支持される。
【００１８】
又本発明によれば、前記ボックスは前記ロック部材が係合可能な係止蓋を有し、該係止蓋は前記ボックス内部を開放する様に回転可能であるので、前記ボックス内部の掃除が容易となる。
【００１９】
又本発明によれば、前記中柱固定具がレバー保持バネを具備し、前記ロック部材は円弧状の鉤部を有し、前記ロック部材は回転により、前記鉤部が突出して前記ボックスと係合離脱可能であり、前記ロック部材は円周面を有し、該円周面に少なくとも１つの窪みが形成され、前記レバー保持バネは前記窪みと係合可能であるので、前記中柱の固定解除は前記ロック部材の回転のみで簡単に行え、又該ロック部材が安定して保持される。
【００２０】
又本発明によれば、前記中柱固定具は、前記固定具ケースに前記ロック部材が設けられることでユニット化され、ユニットとして前記中柱に取付けられるので、組立作業性がよく、部品管理も容易になる等の優れた効果を発揮する。
【発明を実施するための最良の形態】
【００２１】
以下、図面を参照しつつ本発明を実施する為の最良の形態を説明する。
【００２２】
図１〜図４に於いて、１１は地面や土間等を含む、構築構造物内外の床、１２は該床１１に埋設されたボックスであり、該ボックス１２は地中に埋設された鉄骨等に溶接される等所要の手段で前記床１１に固着されている。
【００２３】
前記ボックス１２は正断面、横断面の形状がそれぞれ略逆台形形状の箱部１３と該箱部１３の上端部に続くエプロン部１４からなる凹部１５、該凹部１５の縁部に形成されたフランジ部１６とを有し、前記凹部１５の上端を閉塞し、前記エプロン部１４に一部が収納される係止蓋１７が設けられている。
【００２４】
前記箱部１３の両側面で反エプロン部１４よりに、逆３角形状の切欠１８が形成され（図７参照）、前記係止蓋１７の側部には前記切欠１８と対応する位置に係止片部１９が突設され、該係止片部１９は前記切欠１８内で少なくとも９０°回転可能となっており、又前記係止片部１９が前記切欠１８の頂点に嵌合することで、前記係止蓋１７は直立状態で自立可能となっている。該係止蓋１７には後述するロックレバー３２が貫通する係止孔２０が一対穿設され、該係止孔２０は、前記係止片部１９と略直線を成す様に穿設されていることが好ましい。
【００２５】
前記フランジ部１６には枠板２１が固着され、前記フランジ部１６は前記係止蓋１７が回転可能な様に中央が開口され、又前記係止片部１９が前記切欠１８より外れない様に、前記枠板２１が前記切欠１８の上端を閉塞している。前記係止蓋１７の重心は、前記エプロン部１４側にあり、前記係止蓋１７が前記凹部１５を閉塞した状態では、前記係止蓋１７は前記係止片部１９が支持されると共に前記エプロン部１４で支持されている。
【００２６】
又、前記係止蓋１７が前記凹部１５を閉塞した状態では、前記枠板２１の上面と前記係止蓋１７の上面間には段差があり、前記枠板２１の中央部に凹部２２（図７参照）が形成される様になっている。
【００２７】
中柱２４の下端部には中柱固定具２５が固着される。尚、該中柱固定具２５は後述する様に、固定具ケース２６を基板としてユニット化されており、ユニットを前記中柱２４に取付ける様になっている。
【００２８】
前記中柱２４の下端から該中柱２４の屋内側側面に掛渡るＬ状の固定具ケース２６が、前記中柱２４に取付けられる。前記固定具ケース２６はプレス加工等によって一体成形され、前記中柱２４の屋内面と平行にロックレバー収納部２７が絞り加工されると共に底面には凸部２８が絞り加工されている。前記ロックレバー収納部２７は前記中柱２４との間にレバー収納空間３０を形成している。
【００２９】
前記凸部２８の平面形状は、前記凹部２２に嵌合可能となっていると共に中央部にくびれ部２８ａが形成され、前記固定具ケース２６の底部と前記中柱２４の底面との接触面積が大きくなる様になっている。又、前記くびれ部２８ａを挾んで嵌合片３１が折上げられ、該嵌合片３１は前記中柱２４に嵌合可能となっている。前記嵌合片３１は、前記中柱２４に対する固定具ケース２６の位置決め部材となっている。
【００３０】
前記レバー収納空間３０にロック部材である前記ロックレバー３２が収納され、該ロックレバー３２は前記固定具ケース２６に軸３３を介して回転自在に設けられる。前記ロックレバー３２は、基部３２ａと該基部３２ａから延出し、前記軸３３を中心とする円弧状の鉤部３２ｂを有する。該鉤部３２ｂ及び該鉤部３２ｂに連続する基部３２ａの一部の外周面は、前記軸３３を中心とする円周面となっており、前記鉤部３２ｂの円周面の先端部に第１窪み３５が形成され、該第１窪み３５から所要距離離れた位置に第２窪み３６が形成されている。
【００３１】
前記基部３２ａには摘み軸３７が前記固定具ケース２６を貫通して立設され、前記摘み軸３７の先端には摘み３８が取付けられている。
【００３２】
前記ロックレバー収納部２７の一側面には、板バネであるレバー保持バネ３９が取付けられている。該レバー保持バネ３９には前記第１窪み３５、第２窪み３６に嵌まる凸部４１が形成されている。
【００３３】
前記固定具ケース２６に前記摘み軸３７が回転可能な円弧状の長孔４２が穿設され、前記凸部２８には該凸部２８が前記凹部２２に嵌合した状態で、前記係止孔２０と合致する位置に通孔２９が一対穿設されている。
【００３４】
而して、前記ロックレバー３２は前記摘み３８を持って回転可能であり、前記摘み軸３７が前記長孔４２の一端に位置する状態（図１中左端）で、前記鉤部３２ｂが前記レバー収納空間３０に収納され、前記凸部４１が前記第１窪み３５に嵌合して、前記レバー保持バネ３９のバネ力により前記ロックレバー３２の位置が保持される。該ロックレバー３２が前記レバー収納空間３０に収納された状態が、前記中柱２４の取外し可能な状態である。
【００３５】
該中柱２４を取付ける場合は、出入口等開口部の鴨居側の取付け孔（図示せず）に前記中柱２４の上端を嵌込み、次に前記凸部２８を前記凹部２２に落込み嵌合させる。
【００３６】
前記摘み３８を持ち、該摘み３８を図１中、時計方向に回転し、前記長孔４２の右端に移動すると、前記鉤部３２ｂが一方の前記通孔２９、前記係止孔２０を通過し、他方の前記通孔２９、前記係止孔２０を貫通する。この状態で、前記凸部４１が前記第２窪み３６に嵌合して、前記ロックレバー３２の位置が保持される。
【００３７】
前記鉤部３２ｂが前記係止蓋１７と係合し、又該係止蓋１７の前記係止片部１９が前記枠板２１で押込まれることから、前記中柱２４の下端は前記固定具ケース２６、前記ロックレバー３２、前記係止蓋１７、前記ボックス１２を介して前記床１１に固定される。
【００３８】
前記中柱２４が撓む等して、下端に引抜き力が作用した場合、前記係止片部１９を介して前記係止蓋１７に反力が作用し、上記した様に前記係止孔２０と前記係止片部１９とは略直線上の配置であるので、前記係止蓋１７に回転力が発生せず、前記中柱２４の下端は堅固に固定される。又、前記中柱２４に水平方向の力が作用した場合、該中柱２４は前記凸部２８を介して前記凹部２２と嵌合しているので、前記中柱２４の水平変位が抑止される。
【００３９】
前記中柱２４を取外す場合は、前記摘み軸３７を反時計方向に回転することで、前記鉤部３２ｂと前記係止蓋１７との係合が解除され、前記中柱２４の取外しが可能となる。
【００４０】
尚、前記レバー保持バネ３９の前記ロックレバー３２の保持は、少なくともロックレバー３２が収納された状態を保持すればよく、前記第２窪み３６は省略することも可能である。
【００４１】
前記ボックス１２の内部にゴミ、土等が溜り、除去する場合は、前記係止蓋１７を回転させることで前記箱部１３が開放され、ゴミ、土等の除去が可能となる（図７参照）。尚、前記箱部１３が略逆台形状となっており、ゴミ、土等の除去は容易に行える。
【００４２】
而して、簡単な構造で中柱の下端が固定でき、而も中柱の固定解除は、前記摘み３８を回転させるという簡単で容易な作業で行える。又、前記ボックス１２内の掃除も容易に行える。
【図面の簡単な説明】
【００４３】
【図１】本発明の実施の形態を示す要部正面図である。
【図２】本発明の実施の形態を示す要部側断面図である。
【図３】本発明の実施の形態に於いて、中柱下端部に取付けられる中柱固定具の側断面図である。
【図４】該中柱固定具の底面図である。
【図５】本発明の実施の形態に於いて、床に埋設されるボックスの平面図である。
【図６】該ボックスの立断面図である。
【図７】該ボックスの側断面図である。
【図８】従来例の正面図である。
【図９】従来例の側断面図である。
【符号の説明】
【００４４】
１１            床
１２            ボックス
１３            箱部
１７            係止蓋
１８            切欠
１９            係止片部
２０            係止孔
２１            枠板
２２            凹部
２４            中柱
２５            中柱固定具
２６            固定具ケース
２８            凸部
３１            嵌合片
３２            ロックレバー
３２ｂ          鉤部
３３            軸
３９            レバー保持バネ
【図１】
2005273204.tif 000003
【図２】
2005273204.tif 000004
【図３】
2005273204.tif 000005
【図４】
2005273204.tif 000006
【図５】
2005273204.tif 000007
【図６】
2005273204.tif 000008
【図７】
2005273204.tif 000009
【図８】
2005273204.tif 000010
【図９】
2005273204.tif 000011